(57)【要約】【課題】スクリーン内の画像表示ユニット間の接続はフラットケーブルで行われており、配線の混雑を生じ、製作、試験、メンテナンスの効率化の面で課題であった。また、ＳＤＩ伝送は、コントローラからスクリーン側への一方向のみのデータ伝送で、保守の面で課題であった。【解決手段】コントローラ内にＳＤＩ送受信回路２０７を、スクリーンを構成する画像表示ユニット３０１内にユニットＳＤＩ送受信部３１０を設け、１つのＳＤＩ送受信回路２０７とｍ個の画像表示ユニット３０１とを同軸ケーブルを用いてループ上に配線し、伝送路全てをＳＤＩで伝送する。ＳＤＩ伝送フォーマットは、コントローラから画像表示ユニット３０１へのデータと、画像表示ユニット３０１からコントローラへのデータが時分割多重して伝送可能なフォーマットとする。【選択図】図３
2007322814.tif 000002
【特許請求の範囲】
【請求項１】
オペレータの指示をコマンドとして発行すると共に、信号源の映像データを出力するセンタシステムと、前記センタシステムとケーブルで接続されたコントローラと、ｍ×ｎ個の画像表示ユニットより成り、各画像表示ユニットはＳＤＩ送受信部と発光表示素子を有してなるスクリーンとで構成され、
前記コントローラは、１画面全体の映像データを記憶可能な映像メモリと、前記センタシステムより受信した前記コマンドに基づいて、前記センタシステムから送信されてくる前記映像データの前記映像メモリへの書込み及び読出しを制御する画像制御部と、前記画像制御部により制御されるｎ個のＳＤＩ送受信回路とを備え、
前記ｍ個の画像表示ユニット内ＳＤＩ送受信部の各々は、同軸ケーブルを介して前記コントローラ内ＳＤＩ送受信回路の一つとループ状に接続され、
前記コントローラ内ｎ個のＳＤＩ送受信回路の各々は、前記ｍ個の画像表示ユニット用の映像データと、映像同期信号と、ヘッダー情報を時分割多重したＳＤＩ伝送フォーマットのデータに変換して前記画像表示ユニット内ＳＤＩ送受信部に出力し、
前記画像表示ユニットの各々は、対応するコントローラ内ＳＤＩ送受信回路から送信される前記ＳＤＩ伝送フォーマットのデータより映像データと、映像同期信号と、ヘッダー情報を抽出し、前記映像データに対応して前記発光表示素子を制御すると共に、前記ＳＤＩ伝送フォーマットのデータに時分割多重して前記画像表示ユニットの情報を前記コントローラ内へ伝送するようにした大型映像装置。
【請求項２】
前記ＳＤＩ伝送フォーマットのデータのうちヘッダー情報内に方向フラグ、アドレス情報エリアを設け、前記画像表示ユニットが方向フラグに従って自画像表示ユニットのアドレスを自動で設定することを特徴とする請求項１に記載の大型映像装置。
【請求項３】
前記画像表示ユニットに温度センサーを設け、この温度センサーから得られた温度情報を前記ＳＤＩ伝送フォーマットのデータに時分割多重して前記コントローラへ伝送し、コントローラはユニット温度情報を一括して収集することを特徴とする請求項１または請求項２に記載の大型映像装置。
【請求項４】
前記画像表示ユニットにファン故障検出回路を設け、このファン故障検出回路から得られたファン故障情報を前記ＳＤＩ伝送フォーマットのデータに時分割多重して前記コントローラへ伝送し、コントローラはユニット・ファン故障情報を一括して収集することを特徴とする請求項１または請求項２に記載の大型映像装置。
【請求項５】
前記画像表示ユニットに発光表示素子故障検出回路を設け、この発光表示素子故障検出回路から得られた表示素子故障情報を前記ＳＤＩ伝送フォーマットのデータに時分割多重して前記コントローラへ伝送し、コントローラはユニット発光表示素子の故障情報を一括して収集することを特徴とする請求項１または請求項２に記載の大型映像装置。
【発明の詳細な説明】
【技術分野】
【０００１】
この発明は、センタシステムとコントローラとスクリーンを持った大型映像装置に関するもので、特にコントローラとスクリーン間の映像データの伝送技術及びスクリーン内画像表示ユニット情報の伝送技術に関するものである。
【背景技術】
【０００２】
従来の大型映像装置において、コントローラ内にＳＤＩ（Ｓｅｒｉａｌ  Ｄｉｇｉｔａｌ  Ｉｎｔｅｒｆａｃｅ）送信回路を設け、一方スクリーン側にＳＤＩ受信回路を設け、コントローラのＳＤＩ送信回路とスクリーン側のＳＤＩ受信回路を同軸ケーブルで接続して、ＳＤＩ伝送を利用して映像データをスクリーンに伝送し、更にスクリーン内の画像表示ユニット間はフラットケーブルにより信号を伝送するようにして、ケーブルの嵩張りを減少させたものが知られている。（例えば、特許文献１参照）
また、同様の大型映像装置において、ＳＤＩ信号を使用してコントローラからスクリーンへ映像データの伝送を行う技術に関し、スクリーン内又はその近傍に設けたＳＤＩ受信回路が画像表示ユニットの表示をコントロールし得る機能を発揮すること、及びＳＤＩ受信回路へ送信される信号に各種制御情報を含むようにしたＳＤＩ伝送フォーマットが知られている。（例えば、特許文献２参照）
【０００３】
【特許文献１】特開２００４−５６６１４号公報（第２図）
【特許文献２】特開２００４−３３３８０２号公報（第３図）
【発明の開示】
【発明が解決しようとする課題】
【０００４】
従来の大型映像装置は以上のように構成されているので、同軸ケーブルによりＳＤＩ伝送はコントローラから画像表示ユニットの間のみであり、画像表示ユニット間はフラットケーブルのデイジーチェイン接続であった。またコントローラから画像表示ユニットおよび画像表示ユニット間の信号は映像信号と制御信号だけで、しかもコントローラから画像表示ユニットへの一方向のみであった。
このため、ＳＤＩ受信回路ではＳＤＩ信号のシリアルデータからパラレルデータへの変換が必要であり、またフラットケーブルおよびそのデイジーチェイン接続の採用は配線の混雑を生じ、製作、試験、メンテナンスの効率化の面で改善の余地を残していた。
また映像信号とその制御信号をコントローラから画像表示ユニットへ伝送するにも、コントローラから画像表示ユニットへのデータのみを伝送するフォーマットになっており、このような一方向のみで授受することは、画像表示ユニット側の状態検知が不可能であり、効率のよい保守を目指す上ではやはり改善の余地を残していた。
【０００５】
この発明は上記のような課題を解決するためになされたもので、ＳＤＩ伝送をコントローラから画像表示ユニットの間のみならず、画像表示ユニット間のデータ授受にも行えるようにすると共に、画像表示ユニットからコントローラへのデータ伝送を可能としたもので、画像表示ユニットにおける配線、製作、試験、メンテナンスの効率化およびコントローラと画像表示ユニットとの双方向の情報伝送が行える大型映像装置を提供することを目的とするものである。
【課題を解決するための手段】
【０００６】
この発明の大型映像装置は、オペレータの指示をコマンドとして発行すると共に、信号源の映像データを出力するセンタシステムと、前記センタシステムとケーブルで接続されたコントローラと、ｍ×ｎ個の画像表示ユニットより成り、各画像表示ユニットはＳＤＩ送受信部と発光表示素子を有してなるスクリーンとで構成され、
前記コントローラは、１画面全体の映像データを記憶可能な映像メモリと、前記センタシステムより受信した前記コマンドに基づいて、前記センタシステムから送信されてくる前記映像データの前記映像メモリへの書込み及び読出しを制御する画像制御部と、前記画像制御部により制御されるｎ個のＳＤＩ送受信回路とを備え、
前記ｍ個の画像表示ユニット内ＳＤＩ送受信部の各々は、同軸ケーブルを介して前記コントローラ内ＳＤＩ送受信回路の一つとループ状に接続され、
前記コントローラ内ｎ個のＳＤＩ送受信回路の各々は、前記ｍ個の画像表示ユニット用の映像データと、映像同期信号と、ヘッダー情報を時分割多重したＳＤＩ伝送フォーマットのデータに変換して前記画像表示ユニット内ＳＤＩ送受信部に出力し、
前記画像表示ユニットの各々は、対応するコントローラ内ＳＤＩ送受信回路から送信される前記ＳＤＩ伝送フォーマットのデータより映像データと、映像同期信号と、ヘッダー情報を抽出し、前記映像データに対応して前記発光表示素子を制御すると共に、前記ＳＤＩ伝送フォーマットのデータに時分割多重して前記画像表示ユニットの情報を前記コントローラ内へ伝送するようにしたものである。
【発明の効果】
【０００７】
この発明は、ｍ個の画像表示ユニットの各々が、同軸ケーブルを介してコントローラのＳＤＩ送受信回路の一つとループ状に接続されているから、画像表示ユニット間のデータ授受にもＳＤＩ伝送を行うことができ、配線の混雑の緩和、それによる製作が簡単となる。しかもコントローラと画像表示ユニットとの双方向の伝送が可能であるから、画像表示ユニット側の状態情報を回線に載せられるようにし、コントローラ側でそれを受信することで、効率の良い保守を可能とすることができる。
【発明を実施するための最良の形態】
【０００８】
実施の形態１
以下、この発明の実施の形態１を図１乃至図３に基づいて説明する。図１はＳＤＩ伝送を利用した大型映像装置の全体構成図、図２はスクリーンの構成図、図３はスクリーンを構成する画像表示ユニットの内部ブロック図である。
図１に示すように、この発明の大型映像装置は、大別して、センタシステム１００とコントローラ２００とスクリーン３００で構成される。センタシステム１００は、オペレータの指示をコマンドとして発行すると共に、信号源の映像データを出力する。コントローラ２００は、センタシステム１００と通信ケーブルＬ２及び同軸ケーブルＬ１で接続され且つセンタシステム１００の近辺（センタシステム側）に配置される。スクリーン３００は、コントローラ２００と同軸ケーブルＬ１で接続され且つその各々は縦ｍ個×横ｎ個の画像表示ユニット３０１で構成されている。特に、後述するようにコントローラ２００はＳＤＩ送受信回路２０７を備えており、又、各画像表示ユニット３０１はユニットＳＤＩ送受信部３１０を備え、各画像表示ユニット３０１間は同軸ケーブルで接続されている。
【０００９】
ここで、センタシステム１００は、複数の信号源１０１〜１０３（それぞれテレビ受信機、映像記録再生装置、テレビカメラに該当）と、オペレータ制御部１０４と、センタ通信制御部１０５より構成される。
また、コントローラ２００は、信号源１０１〜１０３から送信される映像データをデコードするデコーダ２０１と、コントローラ２００全体の制御を行う画像制御部２０２と、センタ通信制御部１０５からのコマンドを受信するローカル通信制御部２０３と、デコーダ２０１より出力される映像データを切り換える映像切換部２０４と、１画面全体の映像データを記憶可能な映像メモリ２０５と、ローカル通信制御部２０３で受信したコマンドの解析を行うコマンド解析部２０６と、映像メモリ２０５より出力される映像データをＳＤＩ信号に変換・出力し、且つスクリーン３００側から返ってくるＳＤＩ信号を受信するｎ個のＳＤＩ送受信回路２０７より構成される。
【００１０】
また、スクリーン３００は、Ｙ軸方向の縦にｍ個、Ｘ軸方向の横にｎ個の複数の画像表示ユニット３０１で構成されており、図２には、スクリーン３００全体と、スクリーン３００を構成する複数の画像表示ユニット３０１と、画像表示ユニット３０１を構成する複数のＬＥＤモジュール３０２との関係を示している。各画像表示ユニット３０１には４×４個のＬＥＤモジュール３０２が取り付けてあり、また１つのＬＥＤモジュール３０２は１６×１６個のドットを構成するＬＥＤの発光表示素子で構成されている。
【００１１】
更に、スクリーン３００を構成する画像表示ユニット３０１は、図３に詳細に示すように、コントローラ２００内のＳＤＩ送受信回路２０７の一つと送受信したり、画像表示ユニット３０１間で送受信するユニットＳＤＩ送受信部３１０と、ユニット制御部３１１と、ユニット駆動部３１２と、ユニットメモリ３１３と、ＬＥＤモジュ−ルで構成された発光表示素子３１４とで構成されている。
ここで、コントローラ２００内のＳＤＩ送受信回路２０７の一つと、スクリーン３００内の縦１列を構成するｍ個の画像表示ユニット３０１内のユニットＳＤＩ送受信部３１０とは同軸ケーブルＬ１によりループ上に接続されている。即ち、１つのＳＤＩ送受信回路２０７は、縦１列ｍ個の画像表示ユニット３０１の内、１番目の画像表示ユニット３０１のユニットＳＤＩ送受信部３１０に同軸ケーブルＬ１で接続される。この１番目の画像表示ユニット３０１のユニットＳＤＩ送受信部３１０は、２番目の画像表示ユニット３０１のユニットＳＤＩ送受信部３１０に同軸ケーブルＬ１で接続される。こうして順次画像表示ユニット３０１のユニットＳＤＩ送受信部３１０間を同軸ケーブルＬ１で接続していき、最後のｍ番目の画像表示ユニット３０１のユニットＳＤＩ送受信部３１０は、コントローラ２００内のＳＤＩ送受信回路２０７に同軸ケーブルＬ１で接続される。
【００１２】
以上の構成において、センタシステム１００、コントローラ２００及び画像表示ユニット３０１の動作について、図１および図３に基づいて説明する。まず、センタシステム１００において、オペレータ制御部１０４はオペレータの指示を受け付け、センタ通信制御部１０５はそのオペレータ指示をコントローラ２００に対するコマンドとして発行する。発行されたコマンドは、通信ケーブルＬ２を介して、コントローラ２００内のローカル通信制御部２０３へ送信される。一方映像データは、センタシステム１００内の信号源１０１から１０３のそれぞれから同軸ケーブルＬ１を介して、コントローラ２００内のデコーダ２０１へ送信される。
【００１３】
次にコントローラ２００において、センタシステム１００からのコマンドを受けたローカル通信制御部２０３は、受信信号の中からコマンドのみを抽出し、コマンド解析部２０６に送る。コマンド解析部２０６はコマンドの解析を行い、コマンド解析後にコマンドに合った動作を行うように指示する指令信号を画像制御部２０２に送る。一方、映像データを受けたデコーダ２０１は、受信した映像データをデジタル化し、映像切換部２０４にデジタル化した映像データを出力する。映像切換部２０４は、画像制御部２０２の指令内容に応じて、３つの信号源１０１から１０３から得られた３種類の映像データの重ね合わせ処理を行うものである。
画像制御部２０２は、コマンド解析部２０６からの指示に合う動作を行うように、映像切換部２０４における映像切換動作の実行指示と、映像切換処理後における１フレーム分の映像データの映像メモリ２０５への書込み指示を行う。また同時に、画像制御部２０２は、映像メモリ２０５に対して、既に書込まれている１フレーム分の映像データの読み出し指示を行うと共に、各ＳＤＩ送受信回路２０７に対して順次に動作指令信号を出力する。
【００１４】
ＳＤＩ送受信回路２０７の各々は、画像制御部２０２からの指令に応じて、映像メモリ２０５から読み出される映像データの内で、対応するＳＤＩ送受信回路２０７に接続されているｍ個の画像表示ユニット３０１用の映像データを読み込んだ上で、ｍ個の画像表示ユニット３０１用の映像データと、映像同期信号と、ヘッダー情報を時分割多重したＳＤＩ伝送フォーマット（後述する）のデータに変換し、画像表示ユニット３０１のユニットＳＤＩ送受信部３１０に出力する。同時に、ＳＤＩ送受信回路２０７の各々は、画像表示ユニット３０１から返ってくるＳＤＩ信号を受信して画像表示ユニット３０１からのユニット情報を収集する。
【００１５】
次にスクリーン３００の画像表示ユニット３０１は、コントローラ２００もしくは上段の画像表示ユニット３０１から送られてきたＳＤＩ信号をユニットＳＤＩ送受信部３１０で受信し、ユニット制御部３１１により自ユニット制御エリアの映像データ、映像同期信号、ヘッダー情報を抽出し、ユニットメモリ３１３に書き込む。同時に、ユニット制御部３１１は、ユニットメモリ３１３に前回書き込んだ映像データを読み出し、映像データに合った発光表示素子３１４の点灯を行うようにユニット駆動部３１２を制御する。
【００１６】
更に、ユニット制御部３１１は、自身の画像表示ユニットの状態情報をユニットＳＤＩ送受信部３１０により、コントローラ２００もしくは下段の画像表示ユニット３０１へＳＤＩ信号として映像データと状態情報とを時分割多重して送信するように制御する。
この発明の実施の形態１により、画像表示ユニット間の同軸ケーブルによるＳＤＩ伝送が可能となり、従来のフラットケーブル採用時に比べ配線の混雑の緩和、それによる製作が簡単となる。また画像表示ユニット側の状態情報を時分割多重して同軸ケーブルによりＳＤＩ伝送フォーマットのデータで伝送して、コントローラ側に送ることができるから、コントローラはそれを受信することで、効率の良い保守を可能とすることができる。
【００１７】
実施の形態２
実施の形態１では、コントローラ２００内のＳＤＩ送受信回路２０７の一つと、スクリーン３００内の縦１列を構成するｍ個の画像表示ユニット３０１内のユニットＳＤＩ送受信部３１０とがループ上に接続され、ＳＤＩ信号として映像データと時分割多重して自身の画像表示ユニットの状態情報を送信することについて述べた。この発明の実施の形態２では、この様な実施の形態１における特徴的構成を踏襲しつつ、コントローラ２００内のＳＤＩ送受信回路２０７の一つとループ上に接続されたスクリーン３００内の縦１列を構成するｍ個の画像表示ユニット３０１の各々が自ユニットのアドレスを自動で設定することができるようにしたものである。以下、図４を参照しつつ、この発明の実施の形態２の特徴を具体的に説明する。
【００１８】
図４はこの発明の実施の形態２を示すＳＤＩ伝送フォーマットである。図４（ａ）のＳＤＩ伝送フォーマットにおいて、ＳＤＩ・ＶＳＹＮＣはＳＤＩ信号の垂直同期信号で、ＳＤＩ・ＨＳＹＮＣはＳＤＩ信号の水平同期信号である。垂直同期信号ＳＤＩ・ＶＳＹＮＣの後の最初のラインにヘッダー情報を、その後に映像データを順次載せる。そしてヘッダー情報として制御情報と、取込大きさ情報と、出力ユニット情報と、ユニットサイズ情報と、方向フラグと、アドレス情報をＳＤＩ信号に載せている。
ここで、ヘッダー情報として制御情報と、取込大きさ情報と、出力ユニット情報と、ユニットサイズ情報を載せることは従来（特許文献２参照）から行われているもので、この発明は、従来のＳＤＩ伝送フォーマットのヘッダー情報内に方向フラグと、アドレス情報のエリアを追加して設けていることが特徴である。
【００１９】
上記ヘッダー情報のうち、制御情報と、取込大きさ情報と、出力ユニット情報と、ユニットサイズ情報と、方向フラグの情報は、コントローラ２００のみ変更、更新が可能で、画像表示ユニット３０１からは変更も更新も出来ない。またアドレス情報はコントローラ２００からは初期値のみ設定し、画像表示ユニット３０１はアドレス情報を更新する。
即ち、コントローラ２００は、方向フラグにアドレスを加算する方向と、アドレス情報の初期値を設定し、画像表示ユニット３０１は前記方向フラグの設定に従い、アドレス情報を更新する。
例えば図４（ｂ）に示すように、方向フラグは、コード［００］はアドレス加算なし、コード［０１］はＸ方向のみアドレス＋１加算、コード［１０］はＹ方向のみアドレス＋１加算、コード［１１］はリザーブとするように、コードデータをヘッダー情報内の方向フラグに付す。またアドレス情報は、１６ビットの場合、Ｘアドレスを８ビット、Ｙアドレスを８ビットとし、それぞれ０〜２５５までアドレスを付すことができる。なおビット数を増やすことで、Ｘ、Ｙのアドレス値の上限を拡げることができる。
【００２０】
ここで、アドレス設定の動作例について述べる。コントローラ２００が方向フラグにＹ方向のみアドレス＋１加算のコード［１０］と、アドレス情報に（０，０）のデータを設定すると、コントローラ２００と最初に同軸ケーブルＬ１で接続された画像表示ユニット３０１は自アドレスが（０，０）と認識し、次段の画像表示ユニット３０１に送るＳＤＩデータのアドレス情報にはＹ方向のみアドレス＋１加算した（０，１）を載せる。次段の画像表示ユニット３０１は自アドレスが（０，１）と認識し、次々段の画像表示ユニット３０１に送るＳＤＩデータのアドレス情報にはＹ方向のみアドレス＋１加算した（０，２）を載せる。各々の画像表示ユニット３０１は以下同様に動作して、最後のｍ番目の画像表示ユニット３０１は自アドレスが（０，ｍ−１）と認識し、コントローラ２００に送るＳＤＩデータのアドレス情報にはＹ方向のみアドレス＋１加算した（０，ｍ）を載せる。コントローラ２００は送られてきたアドレス情報（０，ｍ）からスクリーン３００のＹ方向の画像表示ユニット３０１の数がｍ個であることを認識できる。
【００２１】
上記は、コントローラ２００内のＳＤＩ送受信回路２０７と接続されているｍ個の画像表示ユニット３０１がスクリーン縦方向を構成している場合の例であるが、コントローラ２００内のＳＤＩ送受信回路２０７とｍ個の画像表示ユニット３０１がスクリーン横方向を構成する場合について以下説明する。
図５はこの場合のコントローラ２００とスクリーン３００の構成を示すもので、スクリーン３００は横方向にｍ個、縦方向にｎ個の画像表示ユニット３０１で構成されている。そして、コントローラ２００内のＳＤＩ送受信回路２０７の一つと、スクリーン３００内の横１列を構成するｍ個の画像表示ユニット３０１内のユニットＳＤＩ送受信部３１０とは同軸ケーブルＬ１によりループ上に接続されている。
【００２２】
コントローラ２００が方向フラグにＸ方向のみアドレス＋１加算のコード［０１］と、アドレス情報に（０，０）のデータを設定すると、コントローラ２００と最初に同軸ケーブルＬ１で接続された画像表示ユニット３０１は自アドレスが（０，０）と認識し、次段の画像表示ユニット３０１に送るＳＤＩデータのアドレス情報にはＸ方向のみアドレス＋１加算した（１，０）を載せる。次段の画像表示ユニット３０１は自アドレスが（１，０）と認識し、次々段の画像表示ユニット３０１に送るＳＤＩデータのアドレス情報にはＸ方向のみアドレス＋１加算した（２，０）を載せる。各々の画像表示ユニット３０１は以下同様に動作して、最後のｍ番目の画像表示ユニット３０１は自アドレスが（ｍ−１，０）と認識し、コントローラ２００に送るＳＤＩデータのアドレス情報にはＸ方向のみアドレス＋１加算した（ｍ，０）を載せる。コントローラ２００は送られてきたアドレス情報（ｍ，０）からスクリーン３００のＸ方向の画像表示ユニット３０１の数がｍ個であることを認識できる。
以上のように画像表示ユニット３０１が縦、横いずれに配列されていても、コントローラ２００からのアドレス初期値と方向フラグの設定により画像表示ユニットのアドレス設定が自動化され、故障時における画像表示ユニットの交換及び画像表示ユニットの代替表示がコントローラ側の設定変更のみで可能となり、保守、試験の効率化に寄与する。
【００２３】
実施の形態３
実施の形態１では、コントローラ２００内のＳＤＩ送受信回路２０７の一つと、スクリーン３００内の縦１列を構成するｍ個の画像表示ユニット３０１内のユニットＳＤＩ送受信部３１０とがループ上に接続され、ＳＤＩ信号に映像データと時分割多重して自身の画像表示ユニットの状態情報を送信することについて述べた。この発明の実施の形態３では、実施の形態１における特徴的構成を踏襲しつつ、コントローラ２００がスクリーン３００内の画像表示ユニット３０１のユニット温度情報を収集することができるようにしたものである。以下、図面を参照しつつ、この発明の実施の形態３の特徴を具体的に説明する。
【００２４】
図６はこの発明の実施の形態３を示す画像表示ユニットの内部ブロック図である。スクリーン３００を構成する各画像表示ユニット３０１内に温度センサ３３０を設け、ユニット制御部３１１で温度センサ３３０の情報を取得し、ユニットＳＤＩ送受信部３１０により、ＳＤＩ伝送でコントローラ２００に自身の画像表示ユニット３０１の温度情報を送信する。その他の構成は図３と同様につき、説明を省略する。
【００２５】
ここで、この発明の実施の形態３におけるＳＤＩ伝送フォーマットについて図７を用いて説明する。ＳＤＩ伝送の開始点であるコントローラ２００では、ヘッダー情報の次のＳＤＩ水平ラインから映像データを載せてＳＤＩ送信を行い、画像表示ユニット３０１では、受信したＳＤＩ信号からヘッダー情報と映像データを取り出すと同時に、伝送された映像データのうちで画像表示ユニット３０１が取り出し、且つ次段以降の画像表示ユニット３０１には不要になった映像エリアに温度センサ３３０から取得したユニット温度情報を自ユニットのアドレス（ｘ，ｙ）と共に載せて次段の画像表示ユニット３０１にＳＤＩ送信する。次段以降の画像表示ユニット３０１も同様に、受信したＳＤＩ信号からヘッダー情報と映像データを取り出すと同時に、前段画像表示ユニット３０１がユニット温度情報を載せた後の部分に自ユニットのアドレス（ｘ，ｙ＋１）と温度情報を載せて次段の画像表示ユニット３０１にＳＤＩ送信する。ＳＤＩ伝送でループ上に接続されている最後の画像表示ユニット３０１が送信したＳＤＩ信号はコントローラ２００で受信され、コントローラ２００は、スクリーン全体の画像表示ユニット３０１のユニット温度情報を収集することができる。
この発明の実施の形態３は、ＳＤＩ伝送フォーマットのデータにおいて抽出した映像データが格納されていた部分を利用し、画像表示ユニット側の状態データとして温度情報を時分割多重してコントローラへ伝送することができ、コントローラは保守の基本データのひとつである画像表示ユニットの温度情報を一括して獲得することが可能となる。
【００２６】
実施の形態４
実施の形態１では、コントローラ２００内のＳＤＩ送受信回路２０７の一つと、スクリーン３００内の縦１列を構成するｍ個の画像表示ユニット３０１内のユニットＳＤＩ送受信部３１０とがループ上に接続され、ＳＤＩ信号に映像データと時分割多重して自ユニットの状態情報を送信することについて述べた。この発明の実施の形態４では、実施の形態１における特徴的構成を踏襲しつつ、コントローラ２００がスクリーン３００内の画像表示ユニット３０１のユニット・ファン情報を収集することができるようにしたものである。以下、図面を参照しつつ、この発明の実施の形態４の特徴を具体的に説明する。
【００２７】
図８はこの発明の実施の形態４を示す画像表示ユニットの内部ブロック図である。スクリーン３００を構成する各画像表示ユニット３０１内にユニット内機器を冷却するファン３３１及びファン故障検出回路３３２を設け、ユニット制御部３１１でファン故障情報を取得し、ユニットＳＤＩ送受信部３１０により、ＳＤＩ伝送でコントローラ２００に自ユニットのファン情報を送信する。その他の構成は図３と同様につき、説明を省略する。
【００２８】
ここで、この発明の実施の形態４におけるＳＤＩ伝送フォーマットについて図９を用いて説明する。ＳＤＩ伝送の開始点であるコントローラ２００では、ヘッダー情報の次のＳＤＩ水平ラインから映像データを載せてＳＤＩ送信を行い、画像表示ユニット３０１では、受信したＳＤＩ信号からヘッダー情報と映像データを取り出すと同時に、伝送された映像データのうちで画像表示ユニット３０１が取り出し、且つ次段以降の画像表示ユニット３０１には不要になった映像エリアにファン故障検出回路３３２から取得したユニット・ファン情報を自ユニットのアドレス（ｘ，ｙ）と共に載せて次段の画像表示ユニット３０１にＳＤＩ送信する。次段以降の画像表示ユニット３０１も同様に、受信したＳＤＩ信号からヘッダー情報と映像データを取り出すと同時に、前段画像表示ユニット３０１がユニット・ファン情報を載せた後の部分に自ユニットのアドレス（ｘ，ｙ＋１）とファン情報を載せて次段の画像表示ユニット３０１にＳＤＩ送信する。ＳＤＩ伝送でループ上に接続されている最後の画像表示ユニット３０１が送信したＳＤＩ信号はコントローラ２００で受信され、コントローラ２００は、スクリーン全体の画像表示ユニット３０１のユニット・ファン情報を収集することができる。
この発明の実施の形態４は、ＳＤＩ伝送フォーマットのデータにおいて抽出した映像データが格納されていた部分を利用し、画像表示ユニット側の状態データとしてファン故障データを時分割多重してコントローラへ伝送することができ、コントローラ側はファン故障データを一括して収集することが可能となり、保守の効率化に寄与する。
【００２９】
実施の形態５
実施の形態１では、コントローラ２００内のＳＤＩ送受信回路２０７の一つと、スクリーン３００内の縦１列を構成するｍ個の画像表示ユニット３０１内のユニットＳＤＩ送受信部３１０とがループ上に接続され、ＳＤＩ信号に映像データと時分割多重して自ユニットの状態情報を送信することについて述べた。この発明の実施の形態５では、実施の形態１における特徴的構成を踏襲しつつ、コントローラ２００がスクリーン３００内の画像表示ユニット３０１のユニット表示素子情報を収集することができるようにしたものである。以下、図面を参照しつつ、この発明の実施の形態５の特徴を具体的に説明する。
【００３０】
図１０はこの発明の実施の形態５を示す画像表示ユニットの内部ブロック図である。スクリーン３００を構成する各画像表示ユニット３０１内に表示素子故障検出回路３３３を設け、ユニット制御部３１１で表示素子情報を取得し、ユニットＳＤＩ送受信部３１０により、ＳＤＩ伝送でコントローラ２００に自ユニットの表示素子情報を送信する。その他の構成は図３と同様につき、説明を省略する。
【００３１】
ここで、この発明の実施の形態５におけるＳＤＩ伝送フォーマットについて図１１を用いて説明する。ＳＤＩ伝送の開始点であるコントローラ２００では、ヘッダー情報の次のＳＤＩ水平ラインから映像データを載せてＳＤＩ送信を行い、画像表示ユニット３０１では、受信したＳＤＩ信号からヘッダー情報と映像データを取り出すと同時に、伝送された映像データのうちで画像表示ユニット３０１が取り出し、且つ次段以降の画像表示ユニット３０１には不要になった映像エリアに表示素子故障検出回路３３３から取得したユニット表示素子情報を自ユニットのアドレス（ｘ，ｙ）と共に載せて次段の画像表示ユニット３０１にＳＤＩ送信する。次段以降の画像表示ユニット３０１も同様に、受信したＳＤＩ信号からヘッダー情報と映像データを取り出すと同時に、前段画像表示ユニット３０１がユニット表示素子情報を載せた後の部分に自ユニットのアドレス（ｘ，ｙ＋１）と表示素子情報を載せて次段の画像表示ユニット３０１にＳＤＩ送信する。ＳＤＩ伝送でループ上に接続されている最後の画像表示ユニット３０１が送信したＳＤＩ信号はコントローラ２００で受信され、コントローラ２００は、スクリーン全体の画像表示ユニット３０１のユニット表示素子情報を収集することができる。
この発明の実施の形態５は、ＳＤＩ伝送フォーマットのデータにおいて抽出した映像データが格納されていた部分を利用し、画像表示ユニット側の状態データとして表示素子情報を時分割多重してコントローラへ伝送することができ、コントローラ側は表示素子情報を一括して収集することが可能となり、保守の効率化に寄与する。
【００３２】
なお以上の実施の形態３乃至５は、それぞれ温度情報、ファン故障情報、表示素子情報を単独で得る例で説明したが、これらの情報を同時に得て、温度情報、ファン故障情報、表示素子情報を時分割でコントローラにＳＤＩ信号で伝送してもよい。
【図面の簡単な説明】
【００３３】
【図１】この発明の実施の形態１を示すＳＤＩ伝送を利用した大型映像装置の全体構成図である。
【図２】この発明の実施の形態１を示すスクリーンの構成図である。
【図３】この発明の実施の形態１を示す画像表示ユニットの内部ブロック図である。
【図４】この発明の実施の形態２を示すＳＤＩ伝送フォーマットである。
【図５】この発明の実施の形態２のコントローラとスクリーンの接続例を示す構成図である。
【図６】この発明の実施の形態３を示す画像表示ユニットの内部ブロック図である。
【図７】この発明の実施の形態３を示すＳＤＩ伝送フォーマットである。
【図８】この発明の実施の形態４を示す画像表示ユニットの内部ブロック図である。
【図９】この発明の実施の形態４を示すＳＤＩ伝送フォーマットである。
【図１０】この発明の実施の形態５を示す画像表示ユニットの内部ブロック図である。
【図１１】この発明の実施の形態５を示すＳＤＩ伝送フォーマットである。
【符号の説明】
【００３４】
１００：センタシステム、              １０１〜１０３：信号源、
１０４：オペレータ制御部、            １０５：センタ通信制御部、
２００：コントローラ、                ２０１：デコーダ、
２０２：画像制御部、                  ２０３：ローカル通信制御部、
２０４：映像切換部、                  ２０５：映像メモリ、
２０６：コマンド解析部、              ２０７：ＳＤＩ送受信回路、
３００：スクリーン、                  ３０１：画像表示ユニット、
３０２：ＬＥＤモジュール、            ３１０：ユニットＳＤＩ送受信部、
３１１：ユニット制御部、              ３１２：ユニット駆動部、
３１３：ユニットメモリ、              ３１４：発光表示素子、
３３０：温度センサ、                  ３３１：ファン、
３３２：ファン故障検出回路、          ３３３：表示素子故障検出回路、
Ｌ１：同軸ケーブル、                  Ｌ２：通信ケーブル
【図１】
2007322814.tif 000003
【図２】
2007322814.tif 000004
【図３】
2007322814.tif 000005
【図４】
2007322814.tif 000006
【図５】
2007322814.tif 000007
【図６】
2007322814.tif 000008
【図７】
2007322814.tif 000009
【図８】
2007322814.tif 000010
【図９】
2007322814.tif 000011
【図１０】
2007322814.tif 000012
【図１１】
2007322814.tif 000013